(57)【要約】【課題】大便器本体内および排水配管内の詰まりを抑制した大便器装置を提供することを目的としている。【解決手段】１回の使用後洗浄動作内で、洗浄水タンク装置３００から大便器本体２００への洗浄水の供給を２回実施する複数回洗浄モードを備えており、複数回洗浄モードにおいては、１回の使用後洗浄動作内における、１回目の洗浄水供給量と２回目の洗浄水供給量とが異なる。【選択図】図３
2018199955.tif 000002
【特許請求の範囲】
【請求項１】
汚物を受けるボウル部と、前記ボウル部に対して溜水を形成するトラップ部と、を有する大便器本体と、
前記大便器本体へ洗浄水を供給する洗浄水供給手段と、
使用後に前記洗浄水供給手段から前記大便器本体へ洗浄水を供給する使用後洗浄動作を指示する洗浄指示手段と、
を備えた大便器装置であって、
１回の前記使用後洗浄動作内で、前記洗浄水供給手段から前記大便器本体への洗浄水の供給を複数回実施する複数回洗浄モードを有し、前記複数回洗浄モードにおいては、１回目の洗浄水供給量と２回目以降の洗浄水供給量とが異なることを特徴とする大便器装置。
【請求項２】
前記ボウル部内の溜水の水位を検知する溜水水位検知手段を有し、
前記使用後洗浄動作時に前記溜水水位検知手段によって検知した前記溜水の水位に応じて、前記複数回洗浄モードを実施するか否かを判断することを特徴とする請求項１に記載の大便器装置。
【請求項３】
前記複数回洗浄モードでの前記使用後洗浄動作において、所定の操作によって前記１回目の洗浄水供給量と前記２回目以降の洗浄水供給量との比を設定可能であることを特徴とする請求項１又は２に記載の大便器装置。
【発明の詳細な説明】
【技術分野】
【０００１】
本発明は、汚物を排出する水洗大便器に関する。
【背景技術】
【０００２】
通常、水洗大便器は排水配管に接続されており、使用後に便器内へ洗浄水が供給されることで便器内の汚物等を排水配管へ排出する。このとき、排水配管の途中に汚物等の異物の詰まりが生じると、最終的に水洗大便器の洗浄不良につながる。
これについて、排水配管内の詰まりを除去する詰まり除去手段として、排水配管に対して異物の搬送を促すための給水をおこなうものが知られている（特許文献１参照）。
【先行技術文献】
【特許文献】
【０００３】
【特許文献１】特開２００１−２４４９６号公報
【発明の概要】
【発明が解決しようとする課題】
【０００４】
しかし、特許文献１の水洗大便器では、排水配管に対して直接搬送を促すための給水ができる反面、搬送力が給水圧に左右されるため、異物の搬送性能としては所望の搬送力を得られないおそれがある。
【０００５】
本件発明者は、以上のような問題を克服すべく鋭意検討を重ねる中で、設定された全ての洗浄水を一度に供給するよりも複数回に分けて洗浄水を供給した方が、排水管内の異物の搬送性能を上げるために効果的であることを知見した。つまり汚物が停滞して排水配管内の水位が汚物と同じ高さあるときに、繰り返し洗浄して停滞した汚物に洗浄水が印加されると、高い搬送性能が得られるということである。
【０００６】
本発明は、以上のような背景に基づいて創案されたものである。本発明は、上述した従来技術の問題や課題を解決するためになされたものであり、大便器本体内および排水配管内の詰まりを抑制した大便器装置を提供することを目的としている。
【課題を解決するための手段】
【０００７】
本発明の一態様に係る大便器装置は、汚物を受けるボウル部と、前記ボウル部に対して溜水を形成するトラップ部と、を有する大便器本体と、前記大便器本体へ洗浄水を供給する洗浄水供給手段と、使用後に前記洗浄水供給手段から前記大便器本体へ洗浄水を供給する使用後洗浄動作を指示する洗浄指示手段と、を備えた大便器装置であって、１回の前記使用後洗浄動作内で、前記洗浄水供給手段から前記大便器本体への洗浄水の供給を複数回実施する複数回洗浄モードを有し、前記複数回洗浄モードにおいては、１回目の洗浄水供給量と２回目以降の洗浄水供給量とが異なることを特徴とする。
【０００８】
この構成によれば、１回の使用後洗浄動作内における、大便器本体への洗浄水の供給を１回でなく複数回に分けて実施することで、大便器本体内および排水配管内の異物詰まりを抑制することができる。また、１回の使用後洗浄動作内における、１回目の洗浄水供給量と２回目の洗浄水供給量とを異ならせることで、大便器本体のボウル部の洗浄のための洗浄水供給と大便器本体および排水配管内の異物詰まり抑制のための洗浄水供給とでそれぞれ適切な洗浄水量で洗浄水供給を実施することが可能となり、無駄に洗浄水量が多くなってしまうことを抑制することができる。
【０００９】
本発明の一態様に係る水洗大便器において、好ましくは、前記ボウル部内の溜水の水位を検知する溜水水位検知手段を有し、前記使用後洗浄動作時に前記溜水水位検知手段によって検知した前記溜水の水位に応じて、前記複数回洗浄モードを実施するか否かを判断することを特徴とする。
【００１０】
この構成によれば、使用後洗浄動作時の溜水の水位が基準水位よりも高かった場合は、大便器本体もしくは排水配管に異物詰まりが生じているおそれがあると判断し、使用後洗浄動作時に複数回洗浄モードを実施する。これにより、無駄に洗浄水量を多くすることなく大便器本体内および排水配管内の異物詰まりを抑制することができる。
【００１１】
本発明の一態様に係る水洗大便器において、好ましくは、前記複数回洗浄モードでの前記使用後洗浄動作において、所定の操作によって前記１回目の洗浄水供給量と前記２回目以降の洗浄水供給量との比を設定可能であることを特徴とする。
【００１２】
この構成によれば、使用者の意図や大便器の使用環境下に応じて１回目の洗浄水供給量と２回目の洗浄水供給量との比を設定することができる。
【発明の効果】
【００１３】
本発明によれば、大便器装置における大便器本体内および排水配管内の詰まりを抑制することができる。
【図面の簡単な説明】
【００１４】
【図１】本発明の一実施形態に係る大便器装置の概略図である。
【図２】本発明の一実施形態に係る大便器装置のシステムブロック図である。
【図３】本発明の一実施形態に係る大便器装置の使用後洗浄動作のモード別の洗浄水量の振り分けを説明した図である。
【図４】本発明の一実施形態に係る大便器装置の使用後洗浄動作の動作フローを説明した図である。
【発明を実施するための形態】
【００１５】
以下、本発明の実施の形態について添付図面を参照しながら説明する。なお、各図面中、同様の構成要素には同一の符号を付して詳細な説明は適宜省略する。
【００１６】
＜大便器装置の構成＞
まず、図１，２を参照して、本発明の一実施形態に係る大便器装置について説明する。図１は、本発明の一実施形態に係る大便器装置の概略図である。図２は、本発明の一実施形態に係る大便器装置のシステムブロック図である。
【００１７】
図１，２に示すように、大便器装置１００は、大便器本体２００と、洗浄水供給手段としての洗浄水タンク装置３００と、洗浄指示手段としての洗浄リモコン４００と、を備えている。
【００１８】
大便器本体２００は、汚物を受けるボウル部２２０と、ボウル部２２０に対して溜水Ｗを形成するトラップ部２３０と、ボウル部２２０およびトラップ部２３０内に形成された溜水Ｗの水位を検知する溜水水位検知手段２４０と、を有する。また、この大便器２００の上面には、衛生洗浄装置２５０が載置されている。
【００１９】
衛生洗浄装置２５０は、ケース本体２６０と、ケース本体２６０に回動可能に取り付けられていて使用者が座るための便座２８０と、を備えている。ケース本体２６０には、便座２８０に着座した使用者を検知する人体検知部２６１や、便座２８０に着座した使用者の「おしり」などを洗浄する局部洗浄装置２６３や、便座２８０に着座した使用者の「おしり」などに温風を吹き付けて乾燥させる乾燥装置２６５や、便座２８０を暖めるための暖房便座装置２６７が搭載されている。
【００２０】
洗浄水タンク装置３００は、外部給水源から供給された洗浄水を内部に貯留するものであって、排水口３１１を有するタンク本体３１０と、給水装置３２０と、排水弁装置３３０と、を備えている。洗浄水タンク装置３００は、外部給水源から給水装置３２０を介してタンク本体３１０内へ洗浄水を供給することで内部に洗浄水が貯留され、洗浄リモコン４００からの指示に基づいて排水弁装置３３０が排水口３１１を開放したときに、タンク本体３１０内に貯留された洗浄水を排水口３１１から大便器本体２００へ供給する。
なお、タンク本体３１０に貯留することができる洗浄水量は、最大で６．０Ｌである。
【００２１】
洗浄リモコン４００は、洗浄開始スイッチ４１０を有する。使用者によって洗浄リモコン４００が操作されると、その操作内容に応じた制御信号を洗浄水タンク装置３００や衛生洗浄装置２５０へ送信する。この制御信号は、例えば赤外線や電波などを媒体として送信される。
使用者は、排泄行為を終えた後（言い換えると、大便器本体２００の使用後）に、洗浄開始スイッチ４１０を入力することで、洗浄水タンク装置３００から大便器本体１００への洗浄水の供給する、いわゆる使用後洗浄動作を指示することができる。
【００２２】
＜使用後洗浄動作のモードについて＞
次に、図３，４を参照して、本発明の一実施形態に係る大便器装置の使用後洗浄動作のモードについて説明する。図３は、本発明の一実施形態に係る大便器装置の使用後洗浄動作のモード別の洗浄水量の振り分けを説明した図である。図４は、本発明の一実施形態に係る大便器装置の使用後洗浄動作の動作フローを説明した図である。
【００２３】
図３に示すように、本実施形態の大便器装置１００は、１回の使用後洗浄動作内において大便器本体２００へ供給する洗浄水量が異なる複数のモードを備えている。
具体的には、１回の使用後洗浄動作内で、洗浄水タンク装置３００から大便器本体２００への洗浄水の供給を１回実施する通常洗浄モードと、１回の使用後洗浄動作内で、洗浄水タンク装置３００から大便器本体２００への洗浄水の供給を２回実施する複数回洗浄モードと、を備えている。このモードの選択は、洗浄リモコン４００の洗浄開始スイッチ４１０が押されたときに溜水水位検出手段２４０が検知した溜水Ｗの水位が基準となるが、詳しくは後ほど説明する。
【００２４】
通常洗浄モードの中でも、１回の使用後洗浄動作内で大便器本体２００へ供給される洗浄水の総量が４．８Ｌのモードと、６．０Ｌのモードとに分けられる。
また、複数回洗浄モードの中でも、１回の使用後洗浄動作内で大便器本体２００へ供給される洗浄水の総量が８．０Ｌのモードと、１０．０Ｌのモードとに分けられる。
【００２５】
ちなみに、タンク本体３１０には最大で６．０Ｌしか洗浄水を貯留することができないため、１回の使用後洗浄動作内で大便器本体２００へ供給される洗浄水の総量が６．０Ｌよりも多い場合（８．０Ｌのモードと１０．０Ｌのモードの場合）は、大便器本体２００への１回目の洗浄水供給が終了して排水口３１１を閉鎖してから、給水装置３２０からタンク本体３１０内へ不足分の洗浄水量を給水した後に、大便器本体２００への２回目の洗浄水供給を開始することになる。このときの、大便器本体２００への１回目の洗浄水供給と２回目の洗浄水供給との間でタンク本体３１０へ供給した洗浄水の量を「リフィル水量」とする。
【００２６】
複数回洗浄モードにおいては、１回の使用後洗浄動作内における、１回目の洗浄水供給量と２回目の洗浄水供給量とが異なり、これらの比を使用者の意図に応じて適宜設定することができる。例えば、『搬送重視』で設定された場合、１回の使用後洗浄動作内で大便器本体２００へ供給される洗浄水の総量が８．０Ｌのときは、１回目の洗浄水供給量を４．８Ｌ、２回目の洗浄水供給量を３．２Ｌとし、１回の使用後洗浄動作内で大便器本体２００へ供給される洗浄水の総量が１０．０Ｌのときは、１回目の洗浄水供給量を４．８Ｌ、２回目の洗浄水供給量を５．２Ｌとする。また、『ボウル清掃重視』で設定されていた場合、１回の使用後洗浄動作内で大便器本体２００へ供給される洗浄水の総量が８．０Ｌのときは、１回目の洗浄水供給量を６．０Ｌ、２回目の洗浄水供給量を２．０Ｌとし、１回の使用後洗浄動作内で大便器本体２００へ供給される洗浄水の総量が１０．０Ｌのときは、１回目の洗浄水供給量を６．０Ｌ、２回目の洗浄水供給量を２．０Ｌとする。ちなみに、『搬送重視』や『ボウル清掃重視』の設定は、洗浄リモコン４００を所定操作することで設定可能である。
【００２７】
なお、ここでの複数回洗浄モードにおける１回の使用後洗浄動作内での１回目の洗浄水の供給と２回目の洗浄水の供給というのは、使用者が洗浄開始スイッチ４１０を操作して最初に排水弁装置３３０によってタンク本体３１０の排水口３１１が開放されてから閉鎖されるまでが「１回目」であり、その後に再び排水弁装置３３０によってタンク本体３１０の排水口３１１が開放されてから閉鎖されるまでが「２回目」である。
【００２８】
続いて、図４を参照して、使用後洗浄動作の動作フローについて説明する。
【００２９】
まず、ステップＳ１０１において、使用者によって洗浄リモコン４００の洗浄開始スイッチ４１０が操作される。このとき、溜水水位検知手段２４０によって便器本体２００内の溜水Ｗの水位を検知する（ステップＳ１０２）。
【００３０】
ステップＳ１０２において、溜水Ｗの水位ＷＬが基準水位ＷＬ１以下であった場合は、通常洗浄モードに設定される一方で、溜水Ｗの水位ＷＬが基準水位ＷＬ１よりも高かった場合は、複数回洗浄モードに設定される。
具体的に言うと、溜水Ｗの水位ＷＬが水位ＷＬ２以下であった場合は、通常洗浄モードかつ大便器本体２００へ供給する洗浄水の総量を４．８Ｌに設定（ステップＳ１０３）、溜水Ｗの水位ＷＬが水位ＷＬ２より高くて基準水位ＷＬ１以下であった場合は、通常洗浄モードかつ大便器本体２００へ供給する洗浄水の総量を６．０Ｌに設定（ステップＳ１０４）、溜水Ｗの水位ＷＬが基準水位ＷＬ１より高くて水位ＷＬ３以下であった場合は、複数回洗浄モードかつ大便器本体２００へ供給する洗浄水の総量を８．０Ｌに設定（ステップＳ１０５）、溜水Ｗの水位ＷＬが水位ＷＬ３より高かった場合は、複数回洗浄モードかつ大便器本体２００へ供給する洗浄水の総量を１０．０Ｌに設定する（ステップＳ１０６）。
【００３１】
ステップＳ１０３，１０４においては、１回の使用後洗浄動作内で、洗浄水タンク装置３００から大便器本体２００への洗浄水の供給を１回実施する通常洗浄モードであるため、排水弁装置３３０によって排水口３１１を開放することで洗浄水タンク装置３００から大便器本体２００への洗浄水の供給を開始し、それぞれ設定された洗浄水量の供給を終えたときに、排水弁装置３３０によって排水口３１１を閉鎖して洗浄水タンク装置３００から大便器本体２００への洗浄水の供給を終了する（ステップＳ１０７〜１０９）。
その後、給水装置３２０によるタンク本体３１０内への洗浄水の供給によってタンク本体３１０内を満水にし、使用後洗浄動作を終了する（ステップＳ１１０）。
【００３２】
ステップＳ１０５，１０６においては、１回の使用後洗浄動作内で、洗浄水タンク装置３００から大便器本体２００への洗浄水の供給を２回実施する複数回洗浄モードであるため、排水弁装置３３０によって排水口３１１を開放することで洗浄水タンク装置３００から大便器本体２００への洗浄水の供給を開始し、それぞれ設定された１回目の洗浄水量の供給を終えたときに、排水弁装置３３０によって排水口３１１を閉鎖して洗浄水タンク装置３００から大便器本体２００への洗浄水の供給を一度終了する（ステップＳ１１１〜１１３）。
この時点でタンク本体３１０内に貯留された洗浄水の量が、大便器本体２００への２回目の洗浄水供給量よりも不足しているため、タンク本体３１０内への洗浄水の給水を行なう（ステップＳ１１４）。ステップＳ１１４において、それぞれリフィル水量分の洗浄水量をタンク本体３１０内へ給水した後に、再び排水弁装置３３０によって排水口３１１を開放することで洗浄水タンク装置３００から大便器本体２００への洗浄水の供給を開始し、それぞれ設定された２回目の洗浄水量の供給を終えたときに、排水弁装置３３０によって排水口３１１を閉鎖して洗浄水タンク装置３００から大便器本体２００への洗浄水の供給を終了する（ステップＳ１１５〜１１８）。
その後、給水装置３２０によるタンク本体３１０内への洗浄水の供給によってタンク本体３１０内を満水にし、使用後洗浄動作を終了する（ステップＳ１１９）。
【００３３】
＜作用効果＞
次に、本実施形態における大便器装置１００の作用効果を説明する。
【００３４】
本実施形態における大便器装置１００は、１回の使用後洗浄動作内で、洗浄水タンク装置３００から大便器本体２００への洗浄水の供給を２回実施する複数回洗浄モードを備えており、複数回洗浄モードにおいては、１回の使用後洗浄動作内における、１回目の洗浄水供給量と２回目の洗浄水供給量とが異なる。これにより、１回の使用後洗浄動作内における、大便器本体２００への洗浄水の供給を１回でなく複数回（本実施形態では２回）に分けて実施することで、大便器本体２００内および排水配管内の異物詰まりを抑制することができる。また、１回の使用後洗浄動作内における、１回目の洗浄水供給量と２回目の洗浄水供給量とを異ならせることで、大便器本体２００のボウル部２２０の洗浄のための洗浄水供給と大便器本体２００および排水配管内の異物詰まり抑制のための洗浄水供給とでそれぞれ適切な洗浄水量で洗浄水供給を実施することが可能となり、無駄に洗浄水量が多くなってしまうことを抑制することができる。
【００３５】
また、本実施形態における大便器装置１００は、ボウル部２２０内の溜水Ｗの水位ＷＬを検知する溜水水位検知手段２４０を有し、使用後洗浄動作時に溜水水位検出手段２４０が検知した溜水Ｗの水位ＷＬに応じて、通常洗浄モードと複数回洗浄モードのどちらを実施するかを判断する。具体的には、使用後洗浄動作時の溜水Ｗの水位ＷＬが基準水位ＷＬ１よりも高かった場合は、大便器本体２００もしくは大便器本体２００が接続された排水配管に異物詰まりが生じているおそれがあると判断し、使用後洗浄動作時に複数回洗浄モードを実施する。これにより、無駄に洗浄水量を多くすることなく大便器本体２００内および排水配管内の異物詰まりを抑制することができる。
【００３６】
また、本実施形態における大便器装置１００は、事前に洗浄リモコン４００で『搬送重視』や『ボウル清掃重視』などの設定をすることで、複数回洗浄モードでの使用後洗浄動作における、１回目の洗浄水供給量と２回目の洗浄水供給量との比を設定することができる。これにより、使用者の意図や大便器の使用環境下に応じて１回目の洗浄水供給量と２回目の洗浄水供給量との比を設定することができる。
【００３７】
以上、本願の開示する技術の実施形態について説明したが、本願の開示する技術は、上記に限定されるものではない。
【００３８】
例えば、上記実施形態においては、複数回洗浄モードでは、１回の使用後洗浄動作内において大便器本体２００への洗浄水の供給を２回実施することとしたが、本発明はこれに限らず、３回以上実施することとしてもよい。
【００３９】
また、上記実施形態においては、使用後洗浄動作の開始トリガーが洗浄リモコン４００であることとしたが、例えば人体検知部２６１の検知に応じて使用後洗浄動作を開始することとしてもよい。
【００４０】
また、上記実施形態においては、使用後洗浄動作において複数回洗浄モードを実施するか否かや、１回の使用後洗浄動作内で大便器本体２００へ供給される洗浄水の総量の設定を溜水水位検知手段による検知に基づいて判断することとしたが、本発明はこれに限らず、例えばそれらを設定する設定手段を別途設けて、その設定手段への入力によって設定することとしてもよい。
【００４１】
前述した各実施の形態が備える各要素は、技術的に可能な限りにおいて組み合わせることができ、これらを組み合わせたものも本発明の特徴を含む限り本発明の範囲に包含される。
【符号の説明】
【００４２】
１００    大便器装置
２００    大便器本体
２２０    ボウル部
２３０    トラップ部
２４０    溜水水位検知手段
２５０    衛生洗浄装置
２６０    ケース本体
２６１    人体検知部
２６３    局部洗浄装置
２６５    乾燥装置
２６７    暖房便座装置
２８０    便座
３００    洗浄水タンク装置（洗浄水供給手段）
３１０    タンク本体
３１１    排水口
３２０    給水装置
３３０    排水弁装置
４００    洗浄リモコン（洗浄指示手段）
４１０    洗浄開始スイッチ
【図１】
2018199955.tif 000003
【図２】
2018199955.tif 000004
【図３】
2018199955.tif 000005
【図４】
2018199955.tif 000006